(57)【要約】【課題】二つの処置具突出口から同時に突出させた二つの処置具が超音波断層像上に共に表示され易くなるようにして、二つの処置具を同時に用いる処置を安全に行うことができるセクタスキャン型超音波内視鏡の先端部を提供すること。【解決手段】二つの処置具突出口１１，１２のうち、超音波プローブ１０から離れた位置にある方の処置具突出口１２の側縁１２ｓが、超音波プローブ１０に近い位置にある方の処置具突出口１１の側縁１１ｓより側方にはみ出す（Δ）状態に、二つの処置具突出口１１，１２を偏位させて配置した。【選択図】      図１
2008253489.tif 000002
【特許請求の範囲】
【請求項１】
挿入部の先端に、上記挿入部の軸線と平行な断面を扇状に走査する超音波プローブが配置されると共に、処置具を超音波走査面に沿って後方から超音波走査領域内に突出させる二つの処置具突出口が設けられたセクタスキャン型超音波内視鏡の先端部において、
上記二つの処置具突出口のうち、上記超音波プローブから離れた位置にある方の処置具突出口の側縁が、上記超音波プローブに近い位置にある方の処置具突出口の側縁より側方にはみ出す状態に、上記二つの処置具突出口を偏位させて配置したことを特徴とするセクタスキャン型超音波内視鏡の先端部。
【請求項２】
上記二つの処置具突出口の中心軸線位置が、上記超音波プローブの中心軸線を間に挟んでその両側に分かれる位置関係に配置されている請求項１記載のセクタスキャン型超音波内視鏡の先端部。
【発明の詳細な説明】
【技術分野】
【０００１】
この発明はセクタスキャン型超音波内視鏡の先端部に関する。
【背景技術】
【０００２】
セクタスキャン型超音波内視鏡の先端部においては一般に、挿入部の先端に、挿入部の軸線と平行な断面を扇状に走査する超音波プローブが配置されると共に、処置具を超音波走査面に沿って後方から超音波走査領域内に突出させる処置具突出口が設けられており、高い処置能力を得るために処置具突出口を二つ設けたものがある（例えば、特許文献１）。
【特許文献１】特開２００４−１５４３００
【発明の開示】
【発明が解決しようとする課題】
【０００３】
図５は特許文献１に記載された従来のセクタスキャン型超音波内視鏡の先端部を示しており、二つの処置具突出口１１，１２が各々、超音波プローブ１０と軸線位置が合致する状態に配置されている。Ｕは超音波走査領域である。
【０００４】
しかし、そのような構成においては、図６に示されるように、二つの処置具突出口１１，１２から同時に第１の処置具１０１と第２の処置具１０２が突出されると、超音波プローブ１０から遠い方に位置する第２の処置具１０２が近い方の第１の処置具１０１の陰になり、超音波プローブ１０から発信された超音波が第２の処置具１０２で反射されない。
【０００５】
そのため、図７に示されるように、超音波断層像には第１の処置具１０１のみが表示されて、第２の処置具１０２が全く表示されず、二つの処置具１０１，１０２を同時に用いる処置を行う上で制約になっていた。
【０００６】
本発明は、二つの処置具突出口から同時に突出させた二つの処置具が超音波断層像上に共に表示され易くなるようにして、二つの処置具を同時に用いる処置を安全に行うことができるセクタスキャン型超音波内視鏡の先端部を提供することを目的とする。
【課題を解決するための手段】
【０００７】
上記の目的を達成するため、本発明のセクタスキャン型超音波内視鏡の先端部は、挿入部の先端に、挿入部の軸線と平行な断面を扇状に走査する超音波プローブが配置されると共に、処置具を超音波走査面に沿って後方から超音波走査領域内に突出させる二つの処置具突出口が設けられたセクタスキャン型超音波内視鏡の先端部において、二つの処置具突出口のうち、超音波プローブから離れた位置にある方の処置具突出口の側縁が、超音波プローブに近い位置にある方の処置具突出口の側縁より側方にはみ出す状態に、二つの処置具突出口を偏位させて配置したものである。
【０００８】
なお、二つの処置具突出口の中心軸線位置が、超音波プローブの中心軸線を間に挟んでその両側に分かれる位置関係に配置されているとよい。
【発明の効果】
【０００９】
本発明によれば、二つの処置具突出口のうち、超音波プローブから離れた位置にある方の処置具突出口の側縁が、超音波プローブに近い位置にある方の処置具突出口の側縁より側方にはみ出していることにより、二つの処置具突出口から同時に突出させた二つの処置具が超音波断層像上に共に表示され易くなり、二つの処置具を同時に用いる処置を安全に行うことができる。
【発明を実施するための最良の形態】
【００１０】
挿入部の先端に、挿入部の軸線と平行な断面を扇状に走査する超音波プローブが配置されると共に、処置具を超音波走査面に沿って後方から超音波走査領域内に突出させる二つの処置具突出口が設けられたセクタスキャン型超音波内視鏡の先端部において、二つの処置具突出口のうち、超音波プローブから離れた位置にある方の処置具突出口の側縁が、超音波プローブに近い位置にある方の処置具突出口の側縁より側方にはみ出す状態に、二つの処置具突出口を偏位させて配置する。
【実施例】
【００１１】
以下、図面を参照して本発明の実施例を説明する。
図１と図２は、セクタスキャン型超音波内視鏡の先端部の平面図と斜視図である。
挿入部の先端に設けられた先端部本体１の先側半部に、先端部本体１の軸線と平行な断面を扇状に走査（セクタスキャン）するコンベックスタイプの超音波プローブ１０が配置されている。図２に示されるＵがその超音波走査領域であり、超音波プローブ１０の中心軸線Ｘ０位置から先端部本体１の側方に向かって扇形に超音波走査される。ただし、超音波断層像が得られるのは、厳密に超音波プローブ１０の中心軸線Ｘ０の側方断面に限られるのではなく、その側方断面からある程度の幅を有する範囲の断層である。
【００１２】
先端部本体１の中間部分に斜め前方に超音波プローブ１０の超音波走査領域Ｕの方に向けて形成された斜面２には、光学観察のための観察窓４と照明窓５が配置されている。６は、送気送水ノズルである。
【００１３】
また、その斜面２の中央位置付近には、処置具を超音波走査面に沿って後方から超音波走査領域Ｕ内に突出させる第１の処置具突出口１１が設けられている。第１の処置具突出口１１は、挿入部内に挿通配置されている第１の処置具挿通チャンネル（図示せず）の出口開口であり、その有効内径は例えば２．８ｍｍ程度である。
【００１４】
斜面２部分よりやや後方位置の先端部本体１の側面には、処置具を超音波走査面に沿って後方から超音波走査領域Ｕ内に突出させる第２の処置具突出口１２が設けられている。第２の処置具突出口１２は、挿入部内に挿通配置されている第２の処置具挿通チャンネル（図示せず）の出口開口であり、その有効内径は例えば２．４ｍｍ程度である。
【００１５】
そのように設けられた第１の処置具突出口１１と第２の処置具突出口１２は、各々の中心軸線Ｘ１，Ｘ２の位置が、超音波プローブ１０の中心軸線（厳密な意味での中心軸線の延長線を含む）Ｘ０を間に挟んでその両側に分かれる位置関係に偏位させて配置されている。
【００１６】
そして、その偏位により、図１に示されるように、超音波プローブ１０から離れた位置にある第２の処置具突出口１２の側縁１２ｓが超音波プローブ１０に近い位置にある第１の処置具突出口１１の側縁１１ｓより側方にはみ出す状態になっている。Δがそのはみ出し量であり、例えば０．１〜２．５ｍｍ程度が好ましく、さらに好ましくは０．５〜１．０ｍｍ程度である。
【００１７】
その結果、図３に示されるように、第１の処置具突出口１１と第２の処置具突出口１２から第１の処置具１０１と第２の処置具１０２が同時に超音波走査面に沿って後方から超音波走査領域Ｕ内に突出された時に、超音波プローブ１０側から見て第２の処置具１０２が完全には第１の処置具１０１の陰にならない。
【００１８】
したがって、超音波プローブ１０から発信された超音波が第２の処置具１０２でも反射され、図４に示されるように、超音波断層像には第１の処置具１０１のみでなく、第２の処置具１０２も少し薄くはなるものの表示され、二つの処置具１０１，１０２を同時に用いる処置を安全に行うことができる。
【００１９】
なお、第１の処置具突出口１１と第２の処置具突出口１２の中心軸線Ｘ１，Ｘ２の位置が、超音波プローブ１０の中心軸線Ｘ０を間に挟んでその両側に分かれる位置関係に配置されていることにより、第２の処置具１０２に超音波が当たって反射する位置を超音波プローブ１０の中心軸線Ｘ０に近づけることができるので、第２の処置具１０２が超音波断層像に表れ易くなる。
【図面の簡単な説明】
【００２０】
【図１】本発明の実施例のセクタスキャン型超音波内視鏡の先端部の平面図である。
【図２】本発明の実施例のセクタスキャン型超音波内視鏡の先端部の斜視図である。
【図３】本発明の実施例のセクタスキャン型超音波内視鏡の先端部から二つの処置具が同時に突出した状態の斜視図である。
【図４】本発明の実施例のセクタスキャン型超音波内視鏡の先端部で二つの処置具が同時に用いられたときの超音波断層像の略示図である。
【図５】従来のセクタスキャン型超音波内視鏡の先端部の斜視図である。
【図６】従来のセクタスキャン型超音波内視鏡の先端部から二つの処置具が同時に突出した状態の側面断面図である。
【図７】従来のセクタスキャン型超音波内視鏡の先端部で二つの処置具が同時に用いられたときの超音波断層像の略示図である。
【符号の説明】
【００２１】
１  先端部本体
１０  超音波プローブ
１１  第１の処置具突出口
１１ｓ  側縁
１２  第２の処置具突出口
１２ｓ  側縁
１０１  第１の処置具
１０２  第２の処置具
Ｕ  超音波走査領域
Ｘ０  超音波プローブの中心軸線
Ｘ１  第１の処置具突出口の中心軸線
Ｘ２  第２の処置具突出口の中心軸線
【図１】
2008253489.tif 000003
【図２】
2008253489.tif 000004
【図３】
2008253489.tif 000005
【図４】
2008253489.tif 000006
【図５】
2008253489.tif 000007
【図６】
2008253489.tif 000008
【図７】
2008253489.tif 000009